(57)【特許請求の範囲】
【請求項１】
カード搬送路に沿って搬送されている磁気カードに記録されている磁気データを、この搬送路の途中に設けた磁気ヘッドで読み取る磁気データ読取手段と、
前記搬送路の挿入口の外側に磁界を発生させる磁界発生手段と、を備え、
前記磁界発生手段は、磁界を前記搬送路の挿入口の外側に放射する複数の放射源と、放射源毎に設けられた複数の駆動源と、を有し、
前記複数の駆動源における特定の２つの駆動源は、前記放射源を駆動する駆動信号の周波数が異なっているカード処理装置。
【請求項２】
カード搬送路に沿って搬送されている磁気カードに記録されている磁気データを、この搬送路の途中に設けた磁気ヘッドで読み取る磁気データ読取手段と、
前記搬送路の挿入口の外側に磁界を発生させる磁界発生手段と、を備え、
前記磁界発生手段は、磁界を前記搬送路の挿入口の外側に放射する複数の放射源と、放射源毎に設けられた複数の駆動源と、を有し、
前記複数の駆動源における特定の２つの駆動源は、前記放射源を駆動する駆動信号の振幅比が時間的に異なっているカード処理装置。
【請求項３】
前記磁界発生手段は、前記駆動源毎に、その駆動源に対して予め定められたタイミングで前記放射源の駆動、停止を切り換える手段である請求項１または２に記載のカード処理装置。
【請求項４】
前記磁界発生手段は、前記駆動源毎に、その駆動源に対して予め定められたタイミングで前記放射源を駆動する駆動信号の振幅を変化させる手段である請求項１〜３のいずれかに記載のカード処理装置。
【請求項５】
カード搬送路に沿って搬送されている磁気カードに記録されている磁気データを、この搬送路の途中に設けた磁気ヘッドで読み取る磁気データ読取手段と、
前記搬送路の挿入口の外側に磁界を発生させる磁界発生手段と、を備え、
前記磁界発生手段は、磁界を前記搬送路の挿入口の外側に放射する複数の放射源と、放射源毎に設けられた複数の駆動源と、を有し、
前記複数の駆動源における特定の駆動源は、対応する放射源が前記搬送路の挿入口の外側に放射する磁界を時間的に変化させるカード処理装置。
【請求項６】
前記特定の駆動源は、前記放射源を駆動する駆動信号の周波数を掃引することにより、対応する放射源が前記搬送路の挿入口の外側に放射する磁界を時間的に変化させる請求項５に記載のカード処理装置。
【請求項７】
前記特定の駆動源は、時間的に連続、または断続的に前記放射源を駆動する駆動信号の周波数を切り換えることにより、対応する放射源が前記搬送路の挿入口の外側に放射する磁界を時間的に変化させる請求項５に記載のカード処理装置。
【請求項８】
カード搬送路に沿って搬送されている磁気カードに記録されている磁気データを、この搬送路の途中に設けた磁気ヘッドで読み取る磁気データ読取手段と、
前記搬送路の挿入口の外側に磁界を発生させる磁界発生手段と、を備え、
前記磁界発生手段は、磁界を前記搬送路の挿入口の外側に放射する複数の放射源と、これら複数の放射源を駆動する駆動源と、前記駆動源により駆動される放射源を切り換える切換部と、を有するカード処理装置。
【請求項９】
前記駆動源は、所定のタイミングで前記放射源を駆動する駆動信号の周波数を切り換える請求項８に記載のカード処理装置。
【請求項１０】
前記駆動源は、前記切換部が放射源を切り換えるタイミングで、前記放射源を駆動する駆動信号の周波数を切り換える請求項８に記載のカード処理装置。
【請求項１１】
前記磁気データ読取手段の前記磁気ヘッドに対する、前記磁界発生手段により発生された磁界による影響を抑制する抑制手段を備えた請求項１〜１０のいずれかに記載のカード処理装置。
【請求項１２】
請求項１〜１１のいずれかに記載のカード処理装置を内蔵し、
前記カード処理装置の磁気データ読取手段が磁気カードから読み取った磁気データを用いてデータ処理を行う処理手段を備えたデータ処理装置。
【請求項１３】
利用者の有無を検知する検知手段と、
前記検知手段により利用者の存在が検知されたときに、前記カード処理装置に対して前記磁界発生手段の動作開始を指示する指示手段と、を備えた請求項１２に記載のデータ処理装置。
【発明の詳細な説明】
【技術分野】
【０００１】
この発明は、磁気カードに記録されている磁気データを読み取るカード処理装置、およびこのカード処理装置を内蔵したデータ処理装置に関する。
【背景技術】
【０００２】
従来、磁気カードに記録されている磁気データを読み取るカード処理装置がＡＴＭ、ＣＤ、ＣＡＴ等の取引処理装置に利用されている。これらの取引処理装置は、カード処理装置が磁気カードから読み取ったデータを用いて入出金処理やクレジット取引処理等のデータ処理を行う。また、カード処理装置は、上述した取引処理装置だけでなく、管理エリアに入退室する利用者を制限する入退室管理システム等、様々な種類の装置やシステムで利用されている。
【０００３】
ところで、最近、磁気カードに記録されている磁気データを窃取し、窃取した磁気データを記録した偽造カードを用いて取引等を行う犯罪が増加している。磁気データの窃取には、一般にスキミング装置と呼ばれるものが利用されている。ここでは、セキュリティの面から、スキミング装置についての詳細な説明はせず、簡単な説明にとどめておく。このスキミング装置は、磁気カードに記録されている磁気データを読み取る磁気ヘッドを有し、カード処理装置における磁気カードの挿入口の前面に不正に取り付けられるものである。スキミング装置は、カード処理装置のカード挿入口に繋がる開口部が形成されている。スキミング装置が取り付けられたカード処理装置では、利用者（磁気カードの正当な所有者）がスキミング装置の開口部にカードを挿入することになる。したがって、この磁気カードは、スキミング装置を通って、カード挿入口から本体内部に取り込まれる。スキミング装置は、このときに磁気カードに記録されている磁気データを不正に読み取る（窃取する。）。また、スキミング装置は、装置内部に取り込んだ磁気カードを利用者に返却するときにも、この磁気カードがスキミング装置を通ることから、このときにも磁気カードに記録されている磁気データを不正に読み取ることができる。
【０００４】
なお、磁気カードをカード処理装置に挿入した利用者は、スキミング装置が取り付けられていることをしらないので、磁気データが不正に読み取られたこと、すなわち窃取されたこと、に気づかない。
【０００５】
上述のスキミング装置による磁気データの窃取を防止する構成を備えたカード処理装置として、例えば特許文献１に示されたものがある。この特許文献１に示されているカード処理装置は、磁気カードの挿入口近くに、鉄心にコイルを巻いた妨害磁界発生器を設け、挿入口の外側に磁界（妨害磁界）を発生させる構成である。この妨害磁界は、挿入口から挿入される磁気カードの磁気ストライプが通過する領域を含む範囲に発生される。したがって、スキミング装置が挿入口の前面に取り付けられていても、スキミング装置が磁気カードから読み取った読取信号は、妨害磁界によるノイズが重畳された信号になる。これにより、スキミング装置による磁気データの窃取が防止できる。
【特許文献１】特開２００１−６７５２４号公報
【発明の開示】
【発明が解決しようとする課題】
【０００６】
しかしながら、特許文献１に示されている構成では、スキミング装置による磁気データの窃取に対する対策が十分でなかった。具体的に言うと、スキミング装置の磁気ヘッドとして、一般に差動ヘッドと呼ばれている磁気ヘッドが用いられると、磁気カードの磁気データが窃取される危険性が高く、この点で磁気データの窃取に対する対策が不十分であった。ここで言う差動ヘッドとは、電気的特性が略同じである２つの磁気ヘッド（読取ヘッドと、ダミーヘッド）を１つの筐体に納めた磁気ヘッドである。ダミーヘッドは、読取ヘッドの近傍に配置されている。読取ヘッドは、磁気カードの磁気ストライプに当接させて磁気データを読み取るヘッドである。一方、ダミーヘッドは磁気カードの磁気ストライプに当接しない位置（磁気データの影響を受けない位置）に配置されている。この差動ヘッドで磁気カードの磁気データを読み取ると、読取ヘッドの出力である読取信号は、磁気データに応じた起電力と、周辺の磁界（外部磁界）に応じた起電力とが重畳された信号となり、ダミーヘッドの出力は周辺の磁界（外部磁界）に応じた起電力の信号となる。このため、理論的には、読取ヘッドの出力と、ダミーヘッドの出力との差分をとることで、外部磁界、すなわち妨害磁界、の影響を受けていない、磁気データの読取信号を得ることができる。
【０００７】
なお、現実には、読取ヘッドと、ダミーヘッドは、使用部品等のバラツキにより、その電気的特性が完全に同じにならない。また、読取ヘッドと、ダミーヘッドと、を同じ位置に配置することも物理的に不可能である。このため、読取ヘッドと、ダミーヘッドとが受ける外部磁界が異なるので、単純に読取ヘッドの出力と、ダミーヘッドの出力との差分をとっても、外部磁界の影響を受けていない、磁気データの読取信号を得ることができない。そこで、一般に差動ヘッドを用いる場合、読取ヘッド、またはダミーヘッドの少なくとも一方に対して、その出力を増幅するアンプおよび、このアンプのゲインを調整するゲイン調整回路を含むバランス調整回路を設けている。そして、読取ヘッドが磁気データを読み取っていない状態において、読取ヘッドの出力と、ダミーヘッドの出力との差分出力が０になるように、バランス調整回路でアンプのゲインを調整する。これにより、外部磁界の影響を受けることなく磁気データを読み取ることができるようになる。
【０００８】
したがって、特許文献１に記載されているカード処理装置の対策では、スキミング装置に上述の差動ヘッドが用いられると、磁気データが窃取されてしまうという問題があった。
【０００９】
この発明の目的は、磁気カードに記録されている磁気データが窃取されるのを略確実に防止でき、セキュリティを大幅に向上させたカード処理装置、およびこのカード処理装置を内蔵したデータ処理装置を提供することにある。
【課題を解決するための手段】
【００１０】
この発明のカード処理装置は、上記課題を解決するために以下の構成を備えている。
【００１１】
（１）カード搬送路に沿って搬送されている磁気カードに記録されている磁気データを、この搬送路の途中に設けた磁気ヘッドで読み取る磁気データ読取手段と、
前記搬送路の挿入口の外側に磁界を発生させる磁界発生手段と、を備え、
前記磁界発生手段は、磁界を前記搬送路の挿入口の外側に放射する複数の放射源と、放射源毎に設けられた複数の駆動源と、を有し、
前記複数の駆動源における特定の２つの駆動源は、前記放射源を駆動する駆動信号の周波数が異なっている。
【００１２】
この構成では、複数の放射源から放射した磁界による合成磁界が挿入口の外側に発生させられる。また、少なくとも、複数の放射源における特定の２つの放射源から放射される磁界（妨害磁界）の周波数が異なっている。言い換えれば、複数の放射源から放射される妨害磁界の周波数は、２種類以上である。このため、挿入口の外側に差動ヘッドを用いたスキミング装置を不正に取り付けても、スキミング装置の差動ヘッドのバランス調整を行うことができない。その理由は、ある放射源から放射される磁界に対して適正なバランス調整であっても、別の放射源から放射される磁界に対して不適性なバランス調整になる。したがって、スキミング装置における磁気データの読取信号は、磁界発生手段により発生された磁界（妨害磁界）によるノイズが重畳された信号になる。これにより、差動ヘッドを用いたスキミング装置であっても、磁気カードから磁気データが窃取されるのを略確実に防止できる。
【００１３】
（２）カード搬送路に沿って搬送されている磁気カードに記録されている磁気データを、この搬送路の途中に設けた磁気ヘッドで読み取る磁気データ読取手段と、
前記搬送路の挿入口の外側に磁界を発生させる磁界発生手段と、を備え、
前記磁界発生手段は、磁界を前記搬送路の挿入口の外側に放射する複数の放射源と、放射源毎に設けられた複数の駆動源と、を有し、
前記複数の駆動源における特定の２つの駆動源は、前記放射源を駆動する駆動信号の振幅比が時間的に異なっている。
【００１４】
この構成では、上記（１）と同様に、複数の放射源から放射した磁界による合成磁界が挿入口の外側に発生させられる。また、少なくとも、複数の放射源における特定の２つの放射源から放射される磁界（妨害磁界）の強度比が時間的に異なる。このため、挿入口の外側に差動ヘッドを用いたスキミング装置を不正に取り付けても、スキミング装置の差動ヘッドのバランス調整を行うことができない。その理由は、上記（１）と同様に、ある放射源から放射される磁界に対して適正なバランス調整であっても、別の放射源から放射される磁界に対して不適性なバランス調整になる。したがって、スキミング装置における磁気データの読取信号は、磁界発生手段により発生された磁界（妨害磁界）によるノイズが重畳された信号になる。これにより、差動ヘッドを用いたスキミング装置であっても、磁気カードから磁気データが窃取されるのを略確実に防止できる。
【００１５】
なお、駆動信号の振幅比が時間的に異なっているとは、２つの駆動信号の周波数が異なっている場合、２つの駆動信号の位相が異なっている場合、さらには、２つの駆動信号の位相が異なっていて、且つ振幅が異なっている場合等である。
【００１６】
（３）前記磁界発生手段は、前記駆動源毎に、その駆動源に対して予め定められたタイミングで前記放射源の駆動、停止を切り換える手段である。
【００１７】
この構成では、挿入口の外側に発生させている妨害磁界を時間的に変化させることができるので、磁気カードから磁気データが窃取されるのを一層確実に防止できる。
【００１８】
放射源の駆動、停止を切り換える時間間隔は、磁気カードに記録されている磁気データの読取に要する時間の数十分の１〜数分の１程度の時間間隔で変化させるのが好ましい。また、この時間間隔を、数十ｍｓ〜数百ｍｓ程度の短い時間にすれば、スキミング装置の差動ヘッドのバランス調整が現実的に行えなくなる。
【００１９】
（４）前記磁界発生手段は、前記駆動源毎に、その駆動源に対して予め定められたタイミングで前記放射源を駆動する駆動信号の振幅を変化させる手段である。
【００２０】
この構成では、上記（３）と同様に、挿入口の外側に発生させている妨害磁界を時間的に変化させることができるので、磁気カードから磁気データが窃取されるのを一層確実に防止できる。
【００２１】
（５）カード搬送路に沿って搬送されている磁気カードに記録されている磁気データを、この搬送路の途中に設けた磁気ヘッドで読み取る磁気データ読取手段と、
前記搬送路の挿入口の外側に磁界を発生させる磁界発生手段と、を備え、
前記磁界発生手段は、磁界を前記搬送路の挿入口の外側に放射する複数の放射源と、放射源毎に設けられた複数の駆動源と、を有し、
前記複数の駆動源における特定の駆動源は、対応する放射源が前記搬送路の挿入口の外側に放射する磁界を時間的に変化させる。
【００２２】
この構成では、複数の放射源から放射した磁界による合成磁界が挿入口の外側に発生させられる。また、特定の放射源から放射される磁界を時間的に変化させる。言い換えれば、１つ以上の放射源から放射される磁界を時間的に変化させる。これにより、磁界発生手段により挿入口の外側に発生されている磁界（妨害磁界）が時間的に変化する。したがって、この場合も、この挿入口の外側に差動ヘッドを用いたスキミング装置を不正に取り付けても、スキミング装置の差動ヘッドのバランス調整を行うことができない。このため、磁気カードから磁気データが窃取されるのを略確実に防止できる。
【００２３】
なお、特定の放射源から放射される磁界を変化させる時間は、磁気カードに記録されている磁気データの読取に要する時間の数十分の１〜数分の１程度の時間や、数十ｍｓ〜数百ｍｓ程度の短い時間とすればよい。
【００２４】
（６）前記特定の駆動源は、前記放射源を駆動する駆動信号の周波数を掃引することにより、対応する放射源が前記搬送路の挿入口の外側に放射する磁界を時間的に変化させる。
【００２５】
この構成では、放射源を駆動する駆動信号の周波数を掃引する、すなわちスイープする、ことにより、磁界発生手段により挿入口の外側に発生されている磁界（妨害磁界）を時間的に変化させる。
【００２６】
（７）前記特定の駆動源は、時間的に連続、または断続的に前記放射源を駆動する駆動信号の周波数を切り換えることにより、対応する放射源が前記搬送路の挿入口の外側に放射する磁界を時間的に変化させる。
【００２７】
この構成では、放射源を駆動する駆動信号の周波数を時間的に連続、または断続的に切り換えることにより、磁界発生手段により挿入口の外側に発生されている磁界（妨害磁界）を時間的に変化させる。
【００２８】
（８）カード搬送路に沿って搬送されている磁気カードに記録されている磁気データを、この搬送路の途中に設けた磁気ヘッドで読み取る磁気データ読取手段と、
前記搬送路の挿入口の外側に磁界を発生させる磁界発生手段と、を備え、
前記磁界発生手段は、磁界を前記搬送路の挿入口の外側に放射する複数の放射源と、これら複数の放射源を駆動する駆動源と、前記駆動源により駆動される放射源を切り換える切換部と、を有する。
【００２９】
この構成では、駆動源により駆動される放射源を時間的に切り換えるので、挿入口の外側に発生させている妨害磁界を時間的に変化させることができる。したがって、スキミング装置における磁気データの読取信号は、磁界発生手段により発生された妨害磁界によるノイズが重畳された信号になる。これにより、差動ヘッドを用いたスキミング装置であっても、磁気カードから磁気データが窃取されるのを略確実に防止できる。
【００３０】
なお、切換部が駆動源が駆動する放射源を切り換えるタイミングは、上述したように、磁気カードに記録されている磁気データの読取に要する時間の数十分の１〜数分の１程度の時間や、数十ｍｓ〜数百ｍｓ程度の短い時間とすればよい。
【００３１】
（９）前記駆動源は、所定のタイミングで前記放射源を駆動する駆動信号の周波数を切り換える。
【００３２】
この構成では、駆動源の周波数も切り換えるので、磁気カードの磁気データが窃取されるのを一層確実に防止できる。
【００３３】
（１０）前記駆動源は、前記切換部が放射源を切り換えるタイミングで、前記放射源を駆動する駆動信号の周波数を切り換える。
【００３４】
この構成では、駆動部が駆動する放射源を切り換えるタイミングに同期させて、放射源を駆動する駆動信号の周波数を切り換える。
【００３５】
（１１）前記磁気データ読取手段の前記磁気ヘッドに対する、前記磁界発生手段により発生された磁界による影響を抑制する抑制手段を備えている。
【００３６】
この構成では、磁気ヘッドにおける、磁気カードからの磁気データの読み取りにおいて、磁界発生手段により発生された妨害磁界による影響を受けることなく、磁気データを読み取ることができる。
【００３７】
また、この発明の実施形態であるデータ処理装置は、以下の構成である。
【００３８】
（１２）（１）〜（１１）のいずれかに記載のカード処理装置を内蔵し、
前記カード処理装置の磁気データ読取手段が磁気カードから読み取った磁気データを用いてデータ処理を行う処理手段を備えている。
【００３９】
この構成では、磁気カードから磁気データが詐取されるのを、略確実に防止することができる、ＡＴＭ、ＣＤ、ＣＡＴ等のデータ処理装置を提供することができる。
【００４０】
（１３）利用者の有無を検知する検知手段と、
前記検知手段により利用者の存在が検知されたときに、前記カード処理装置に対して前記磁界発生手段の動作開始を指示する指示手段と、を備えている。
【００４１】
この構成では、利用者がいないときに、磁界発生手段を停止するので、装置本体の電力消費を抑え、ランニングコストを低減することができる。
【発明の効果】
【００４２】
この発明によれば、磁気カードの磁気データが、窃取されるのを略確実に防止でき、磁気データのセキュリティを十分に向上させられる。
【発明を実施するための最良の形態】
【００４３】
以下、この発明の実施形態であるカード処理装置について説明する。
【００４４】
図１は、この発明の実施形態であるカード処理装置の主要部の構成を示すブロック図である。この実施形態のカード処理装置１は、本体の動作を制御する制御部２と、本体に挿入された磁気カードに記録されている磁気データを読み取る磁気データ読取部３と、本体に挿入されたカードの搬送を制御するカード搬送制御部４と、搬送路におけるカードの有無を検出するカード検出部５と、挿入口に設けられたシャッタの開閉を制御するシャッタ制御部６と、本体に挿入されたカードから読み取った磁気データを出力する出力部７と、挿入口の外側に妨害磁界を発生させる妨害磁界発生部８と、を備えている。磁気データ読取部３が、この発明で言う磁気データ読取手段に相当し、妨害磁界発生部８が、この発明で言う磁界発生手段に相当する。
【００４５】
図２は、この発明の実施形態であるカード処理装置の内部構成を示す概略図である。図２において、１０は磁気カード（以下、単にカード１０と言う。）である。カード処理装置１本体の前面には、カード１０を挿入する挿入口１１が形成されている。挿入口１１の近くには、挿入口１１に挿入されたカード１０を検出する挿入検知センサ１２が設けられている。この挿入検知センサ１２は、押圧センサであり、挿入口１１から挿入されたカード１０によって押圧される位置に配置されている。また、挿入検知センサ１２よりも少し本体内側の位置にシャッタ１３が配置されている。シャッタ１３は、シャッタ制御部６により開閉される。図２は、シャッタ１３が開している状態を示している。シャッタ１３が閉している状態は、シャッタ１３の一部が挿入口１１に対向する状態（図２において、シャッタ１３を下げた状態）である。カード処理装置１は、通常シャッタ１３を開状態に保持し、カード１０を本体内部に取り込んでいる間だけ、閉状態にする構成であってもよいし、カード１０の挿入時、および排出時のみ開状態にする構成であってもよい。シャッタ制御部６は、制御部２からの指示にしたがってシャッタ１３を開閉する。また、カード処理装置１は、シャッタ制御部６およびシャッタ１３を設けていない構成であってもよい。
【００４６】
なお、この実施形態では、通常シャッタ１３を開状態に保持し、カード１０を本体内部に取り込んでいる間だけ、閉状態にする構成である。
【００４７】
また、カード１０を挟持して搬送する一対の搬送ローラ１４〜１７がカード１０の搬送方向に並べられている。カード処理装置１は、これらの搬送ローラ１４〜１７によりカード１０の搬送路を形成している。一対の搬送ローラ１４〜１７は、それぞれ一方がモータの回転力が伝達される駆動ローラであり、他方がこの駆動ローラに従動して回転する従動ローラである。搬送ローラ１４〜１７を駆動するモータ（不図示）は、１つである。カード搬送制御部４は、このモータの回転（回転方向、回転速度を含む）、停止を制御することにより、カード１０の取り込み、およびカードの排出（返却）を行う。磁気データ読取部３は、搬送ローラ１４〜１７により形成された搬送路を搬送されているカード１０の磁気ストライプに記録されている磁気データを読み取る磁気ヘッド１８を有している。また、カード１０の有無を検出するセンサ２１〜２４がカード１０の搬送路に沿って並べられている。センサ２１〜２４の配置間隔は、カード１０の搬送方向の長さよりも短い。センサ２１〜２４は、発光部と受光部とからなる光センサであり、搬送路を挟んで発光部と受光部とを対向させて配置している。センサ２１は、挿入口１１に最も近い搬送ローラ１４にカード１０が挟持されたことを検出するためのものである。また、センサ２４は、本体に挿入されたカード１０が貯留部に達したことを検出するためのものである。センサ２２、２３は、カード搬送路を搬送されているカード１０の位置を検出するためのものである。カード検出部５は、センサ１２、および２１〜２４の検出結果により、本体にカード１０が挿入されているかどうか、および搬送路におけるカード１０の位置を検出する。また、磁気ヘッド１８とセンサ２４との配置間隔は、カード１０の搬送方向の長さよりも少し長くしているので、カード１０が貯留部に達したときには、すなわちカード１０の先端がセンサ２４に検出される位置に達したときには、磁気データ読取部３がカード１０に記録されている磁気データの読み取りを完了している。
【００４８】
さらに、妨害磁界発生部８は、挿入口１１の近傍に配置され、妨害磁界を放射する放射源３１、３２を有している。放射源３１、３２は、カード１０の搬送路を挟んで対向するように配置されている。また、放射源３１、３２は、挿入口１１に挿入されたカード１０の磁気ストライプを挟んで対向するように配置されている。すなわち、放射源３１は、挿入口１１に挿入されたカード１０の磁気ストライプの真上に配置しており、放射源３２は、挿入口１１に挿入されたカード１０の磁気ストライプの真下に配置している。これにより、放射源３１、３２から放射される妨害磁界を、挿入口１１に挿入されたカード１０の磁気ストライプが通過する位置に発生させることができる。放射源３１、３２は、鉄心にコイルを巻いた簡単な構成である。妨害磁界発生部８は、放射源３１、３２毎に、コイルに電流を流す駆動源３３、３４を有している（図３参照）。放射源３１を駆動する駆動源３３の駆動信号の周波数ｆ１（放射源３１のコイルに流す電流の周波数ｆ１）と、放射源３２を駆動する駆動源３４の駆動信号の周波数ｆ２（放射源３２のコイルに流す電流の周波数ｆ２）と、は異なる周波数である。したがって、放射源３１から放射される妨害磁界Ｈ１と、放射源３２から放射される妨害磁界Ｈ２とは、その強度や周波数が異なる磁界である。また、挿入口１１と磁気ヘッド１８との間には、フェライト等の透磁率の大きい磁気遮蔽部材３５を配置している。この磁気遮蔽部材３５は、当然のことながら、搬送路におけるカード１０の搬送を邪魔しない形状および配置である。磁気遮蔽部材３５は、放射源３１、３２から放射されている妨害磁界Ｈ１、Ｈ２を吸収するものである。したがって、磁気遮蔽部材３５を設けたことで、放射源３１、３２から放射されている妨害磁界Ｈ１、Ｈ２がこの磁気遮蔽部材３５より内側に及ぼす影響を抑えることができる。これにより、磁気遮蔽部材３５よりも内側に配置されている磁気ヘッド１８では、妨害磁界Ｈ１、Ｈ２の影響を受けることなく磁気データを読み取ることができる。この磁気遮蔽部材３５が、この発明で言う抑制手段に相当する。
【００４９】
ここで、カード１０に記録されている磁気データを窃取するスキミング装置について簡単に説明しておく。このスキミング装置５０は、図４に示すように、カード挿入口１１の前面に取り付けられる。スキミング装置５０が取り付けられている場合、カード１０はスキミング装置５０を通過して、挿入口１１から本体に取り込まれる。このスキミング装置５０には、カード１０に記録されている磁気データを不正に読み取るための磁気ヘッドを有する読取部や、不正に読み取った磁気データを記憶するメモリ、さらにはメモリに記憶している磁気データを無線で出力する無線通信部等が設けられている。このスキミング装置５０の読取部の磁気ヘッドが図５に示す差動ヘッド５１である場合について説明する。差動ヘッド５１は、図５に示すように、カード１０の磁気ストライプに当接させて記録されている磁気データを読み取る読取ヘッド５２と、この読取ヘッド５２の近傍に配置されたダミーヘッド５３と、を有している。また、読取ヘッド５２の出力を増幅する第１のアンプ５４、ダミーヘッド５３の出力を増幅する第２のアンプ５５、第２のアンプ５５のゲインを調整するゲイン調整回路５６、および第１のアンプ５４と第２のアンプ５５との差分を出力する差分回路５７を備えている。読取ヘッド５２とダミーヘッド５３とは、電気的特性が略同じである。
【００５０】
差動ヘッド５１は、外部磁界の影響を受けることなく、磁気データを読み取る磁気ヘッドとして開発されたものである。この差動ヘッド５１で磁気データを読み取っているとき、磁気ストライプに当接している読取ヘッド５２の出力は、磁気データに応じた起電力と、外部磁界（周辺の磁界）に応じた起電力とが重畳された信号になる。一方、磁気ストライプに当接していないダミーヘッド５３の出力は外部磁界（周辺の磁界）に応じた起電力の信号になる。したがって、理論的には、読取ヘッド５３の出力と、ダミーヘッド５４の出力との差分をとることで、外部磁界の影響を受けていない、磁気データの読取信号を得ることができる。しかし、現実には、読取ヘッド５２と、ダミーヘッド５３は、使用部品等のバラツキにより、その電気的特性が完全に同じではない。また、読取ヘッド５２と、ダミーヘッド５３と、を同じ位置に配置することは物理的に不可能であり、読取ヘッド５２と、ダミーヘッド５３とが受ける外部磁界も完全に同じにならない。そこで、単純に読取ヘッド５２の出力と、ダミーヘッド５３の出力との差分（差分回路５７の出力）を読取信号として出力するのではなく、上述した第１のアンプ５４、および第２のアンプ５５を設け、さらにゲイン調整回路５６で第２のアンプ５５のゲインを調整する構成が採用されている。第２のアンプ５５のゲインは、この差動ヘッド５１で磁気データを読み取っていない状態で、読取ヘッド５２の出力と、ダミーヘッド５３の出力との差分が略０になるように調整される。
【００５１】
次に、この実施形態のカード処理装置１の動作について説明する。この実施形態のカード処理装置１は、装置本体が稼動しているとき、妨害磁界発生部８が放射源３１、３２から常に妨害磁界を放射している。放射源３１は、駆動源３３によりコイルに流されている周波数ｆ１の電流に応じた妨害磁界Ｈ１を発生しており、放射源３２は、駆動源３４によりコイルに流されている周波数ｆ２の電流に応じた妨害磁界Ｈ２を発生している。
【００５２】
まず、挿入口１１から挿入されたカード１０を本体に取り込むときの動作（取込動作）について説明する。図６は、この取込動作を示すフローチャートである。カード処理装置１は、カード検出部５においてカード１０が検出されていない初期状態である。このとき、シャッタ１３は開されている。また、上述したように、妨害磁界発生部８が放射源３１、３２から妨害磁界を放射している。カード処理装置１は、挿入検知センサ１２によりカード１０が検知されると、カード１０が挿入されたと判定する（ｓ１）。カード処理装置１は、ｓ１でカード１０が挿入されたと判定すると、搬送ローラ１４〜１７の回転を開始する（ｓ２）。ｓ２では、搬送ローラ１４〜１７は、挿入されたカード１０を本体内部に取り込む方向（以下、正方向と言う。）に回転する。このとき、シャッタ１３は開しているので、利用者によるカード１０の挿入を妨げない。この後、カード処理装置１は、カード搬送部４により挿入されたカード１０を貯留部まで一定速度で搬送する。
【００５３】
カード処理装置１は、カード１０を貯留部へ搬送しているときに、磁気ヘッド１８がカード１０の磁気ストライプに当接し、このカード１０に記録されている磁気データを読み取る（ｓ３）。磁気データ読取部３が、カード１０に記録されている磁気データを読み取っているときも、妨害磁界発生部８は放射源３１、３２から妨害磁界を放射している。上述したように、放射源３１、３２と、磁気ヘッド１８、との間には磁気遮蔽部材３５が配置されている。このため、磁気データ読取部３は、放射源３１、３２から放射されている妨害磁界の影響を殆ど受けることなく、カード１０に記録されている磁気データを読み取ることができる。
【００５４】
また、カード処理装置１は、カード１０を貯留部へ搬送しているとき、搬送ローラ１４の隣（挿入口１１と反対側）に配置したセンサ２１によりカード１０の後端が検出されると（ｓ４）、シャッタ制御部６によりシャッタ６を閉する（ｓ５）。ｓ４では、センサ２１がカード１０を検出している状態からカード１０を検出していない状態に変化したときに、カード１０の後端を検出したと判定する。ｓ５でシャッタ６を閉したことにより、挿入口１１から別のカード１０が挿入されるのを防止できる。
【００５５】
カード処理装置１は、カード１０が貯留部に達すると（ｓ６）、カード搬送制御部４による搬送ローラ１４〜１７の回転を停止する（ｓ７）。ｓ６では、センサ２４がカード１０を検出したときに、カード１０が貯留部に達したと判定する。磁気データ読取部３における磁気データの読取については、カード１０が貯留部に達したときに、すでに完了している。
【００５６】
次に、上述の取込処理で貯留部に貯留したカード１０を利用者に返却するときの動作（返却動作）について説明する。図６は、この返却動作を示すフローチャートである。搬送ローラ１４〜１７の回転を開始する（ｓ１１）。ｓ１１では、搬送ローラ１４〜１７は、カード１０を貯留部から挿入口１１へ搬送する方向（以下、逆方向と言う。）に回転される。カード１０は、一定速度で挿入口１１へ搬送される。このときも、妨害磁界発生部８が放射源３１、３２から妨害磁界を放射している。カード処理装置１は、搬送ローラ１４の隣（挿入口１１と反対側）に配置されたセンサ２１によりカード１０の先端が検出されると（ｓ１２）、シャッタ１３を開する（ｓ１３）。ｓ１２では、カード処理装置１は、センサ２１がカードを検出していない状態から、カード１０を検出している状態に変化したときに、カード１０の先端がセンサ２１により検出されたと判定する。
【００５７】
なお、ここでは、カード１０の先端、後端を、カード１０の搬送方向に基づいて説明している。このため、上述の取込時におけるカード１０の後端が、この返却時におけるカード１０の先端である。
【００５８】
その後、カード処理装置１は、センサ２１によりカード１０の後端が検出されると（ｓ１４）、カード搬送制御部４により逆方向に回転されている搬送ローラ１４〜１７の回転を停止する（ｓ１５）。ｓ１４では、カード処理装置１は、センサ２１がカードを検出している状態から、カード１０を検出していない状態に変化したときに、センサ２１によりカード１０の後端が検出されたと判定する。搬送ローラ１４〜１７の停止により、カード１０の搬送も停止する。このとき、カード１０は搬送ローラ１４に挟持されており、またその先端部分が挿入口１１から外側に突出している。したがって、利用者は、挿入口１１から突出しているカード１０の先端部分をつかんで、抜き取ることができる。カード処理装置１は、挿入検知センサ１２によりカード１０が検出されている状態から、検出されていない状態に変化すると（ｓ１６）、カード１０が抜き取られたと判定し、本処理を終了する。
【００５９】
ここで、挿入口の前面に図５に示した差動ヘッド５１を用いたスキミング装置５０が取り付けられていた場合について説明する。カード処理装置１は、上述したように、稼動時においては、妨害磁界発生部８が放射源３１、３２から妨害磁界を常に放射している。また、スキミング装置５０は、挿入口１１の前面に取り付けられるので、カード１０に記録されている磁気データの読み取りにおいて、放射源３１、３２から放射されている妨害磁界（これらの合成磁界）の影響を受ける。このため、スキミング装置５０に設けられている磁気ヘッドが差動ヘッドでない通常の磁気ヘッドであれば、その読取信号は妨害磁界による起電力が重畳された信号となり、カード１０の磁気データを読み取ることができない。
【００６０】
また、スキミング装置５０に設けられている磁気ヘッドが、図５に示した差動ヘッド５１である場合、読取ヘッド５２およびダミーヘッド５３の出力のバランスを予め調整しておく必要がある。すなわち、磁気データを読み取っていない状態で、差分回路５７の出力が略０になるように、ゲイン調整回路５６で第２のアンプ５５のゲインを調整しておく必要がある。しかし、図８に示すように、スキミング装置５０の差動ヘッド５１が配置される位置は、放射源３１から放射されている妨害磁界Ｈ１と、放射源３２から放射されている妨害磁界Ｈ２とが異なる方向から照射されている環境である。また、妨害磁界Ｈ１と、妨害磁界Ｈ２とは、その周波数や強度が異なっている。
【００６１】
ここで、放射源３１から放射されている妨害磁界をＨ１が読取ヘッド５２に対して与える影響をＨ１−１、ダミーヘッド５３に対して与える影響をＨ１−２とするとともに、放射源３２から放射されている妨害磁界をＨ２が読取ヘッド５２に対して与える影響をＨ２−１、ダミーヘッド５３に対して与える影響をＨ２−２とする。読取ヘッド５２と、ダミーヘッド５３とは、電気的特性や配置されている位置が完全に同じではないので、
Ｈ１−１≠Ｈ１−２、Ｈ２−１≠Ｈ２−２
である。また、上述したように、妨害磁界Ｈ１と、妨害磁界Ｈ２とはその周波数や強度が異なっているので、
Ｈ１−１：Ｈ１−２≠Ｈ２−１：Ｈ２−２
である。
【００６２】
このため、磁気データを読み取っていない状態で、差分回路５７の出力が略０になるように、ゲイン調整回路５６で第２のアンプ５５のゲインを調整することができない。簡単に言うと、ゲイン調整回路５６で第２のアンプ５５のゲインを、妨害磁界Ｈ１の影響を除去した磁気データの読取信号が得られる状態に調整しても、差分回路５７の出力は妨害磁界Ｈ２の影響を受けた信号になる。反対に、ゲイン調整回路５６で第２のアンプ５５のゲインを、妨害磁界Ｈ２の影響を除去した磁気データの読取信号が得られる状態に調整しても、差分回路５７の出力は妨害磁界Ｈ１の影響を受けた信号になる。したがって、差動ヘッド５１を用いたスキミング装置５０であっても、妨害磁界Ｈ１、および妨害磁界Ｈ２の影響を除去した磁気データの読取信号を得ることはできない。
【００６３】
このように、この実施形態のカード処理装置１は、差動ヘッド５１を用いたスキミング装置５０であっても、カード１０の磁気データが不正に読み取られるのを防止できる。したがって、スキミング装置５０によるカード１０に記録されている磁気データの窃取に対するセキュリティを十分に確保することができる。
【００６４】
また、上記実施形態では、挿入口１１付近に２つの放射源３１、３２を設ける場合を例にして説明したが、３つ以上の放射源を設けてもよい。この場合、放射源毎に設けられる駆動源の駆動信号の周波数については２種類以上であればよい。但し、駆動源毎に駆動信号の周波数を異ならせるのが、より望ましい。
【００６５】
また、放射源３１、３２から放射される妨害磁界Ｈ１、Ｈ２の周波数については、磁気データの読取信号に干渉する周波数になるように、読取信号の周波数に近い周波数とするのが好ましい。読取信号の周波数は、磁気ストライプにおける磁気データの記録密度、およびカード１０の搬送速度により決まる。
【００６６】
また、上記実施形態では、駆動源３３が放射源３１を駆動する駆動信号の振幅と、駆動源３４が放射源３２を駆動する駆動信号の振幅とは、同じであってもよいし、異なっていてもよい。
【００６７】
また、上記実施形態では、駆動源３３が放射源３１を駆動する駆動信号の周波数ｆ１と、駆動源３４が放射源３２を駆動する駆動信号の周波数ｆ２とは、異なっているとしたが、駆動源３３が放射源３１を駆動する駆動信号の振幅と、駆動源３４が放射源３２を駆動する駆動信号の振幅と、の比を時間的に変化させることで、これらの駆動信号の周波数を同じにしてもよい。具体的に言うと、駆動源３３が放射源３１を駆動する駆動信号と、駆動源３４が放射源３２を駆動する駆動信号と、の位相を異ならせればよい。また、このときに、駆動源３３が放射源３１を駆動する駆動信号の振幅と、駆動源３４が放射源３２を駆動する駆動信号の振幅と、を異ならせてもよい。
【００６８】
また、上記実施形態では、妨害磁界発生部８が放射源３１、３２から常に妨害磁界Ｈ１、Ｈ２を放射するとしたが、図９に示すように、放射源３１がら妨害磁界Ｈ１を放射しているときに、放射源３２からの妨害磁界Ｈ２の放射を停止し、反対にし放射源３２がら妨害磁界Ｈ２を放射しているときに、放射源３１からの妨害磁界Ｈ１の放射を停止する構成としてもよい。放射源３１が妨害磁界Ｈ１を放射している時間と、妨害磁界Ｈ１の放射を停止している時間と、は図９に示すように同じであってもよいし、異なっていてもよい。また、放射源３１、３２を切り換える時間間隔は、カード１０に記録されている磁気データの読取に要する時間の数十分の１〜数分の１程度の時間や、数十ｍｓ〜数百ｍｓ程度の短い時間である。この構成では、スキミング装置５０に対する妨害磁界を時間的に変化させることができる。このため、スキミング装置５０は、妨害磁界Ｈ１による影響を受けるときと、妨害磁界Ｈ２による影響を受けるときとが、交互に生じることから、結果的に差動ヘッド５１を用いても、カード１０の磁気データを不正に読み取ることができない。したがって、磁気データのセキュリティを十分に確保することができる。また、一方の放射源から妨害磁界を放射しているときに、他方の放射源からの妨害磁界の放射を停止する構成としたので、装置本体における消費電力を抑えることができ、結果的にランニングコストが抑えられる。
【００６９】
さらに、駆動源３３が放射源３１のコイルに流す電流の周波数を、時間的に連続または断続的に変化させる構成としてもよい。例えば、駆動源３３が放射源３１のコイルに流す電流の周波数を、図１０に示すように駆動源３３の駆動信号の周波数をｆａ〜ｆｂの範囲で掃引（所謂、スイープ）することにより、時間的に連続して変化させる構成としてもよい。この場合、放射源３１から放射される妨害磁界Ｈ１は、時間的に連続して変化する。このため、挿入口１１の前面にスキミング装置５０が取り付けられたとしても、このスキミング装置５０は、放射源３１から放射されている、時間的に連続して変化している妨害磁界Ｈ１の影響を受ける。このため、スキミング装置５０に差動ヘッド５１を用いても、妨害磁界Ｈ１が時間的に連続して変化していることから、磁気データを読み取っていない状態で、差分回路５７の出力が略０になるように、ゲイン調整回路５６で第２のアンプ５５のゲインを調整することはできない。
【００７０】
このように、この実施形態のカード処理装置１であれば、差動ヘッドを用いたスキミング装置であっても、カード１０に記録されている磁気データを不正に読み取ることができない。したがって、磁気データのセキュリティを十分に確保することができる。
【００７１】
また、上記の説明においては、駆動源３３の駆動信号の周波数をｆａ〜ｆｂの範囲でスイープするとしたが、図１１（Ａ）に示すように、駆動信号の周波数をｆａ〜ｆｂの範囲で段階的に変化させてもよいし、図１１（Ｂ）にように駆動信号の周波数をｆａ〜ｆｂの範囲でランダムに変化させてもよい。
【００７２】
また、ここでは、駆動源３３の駆動信号の周波数のみを変化させる場合を示したが、同時に駆動源３４の駆動信号の周波数も変化させる構成としてもよい。
【００７３】
また、上記実施形態では、装置本体にカード１０が挿入されていないとき、シャッタ１３を開しているとしたが、シャッタを閉している状態にすることもできる。この場合には、図６のｓ１でカード１０が挿入されたと判定したときにシャッタ１３を開する処理を追加すればよい。また、図７のｓ１６で利用者がカード１０を抜き取ったと判定したときに、シャッタ１３を閉する処理を追加すればよい。このようにすれば、挿入口１１から本体にゴミ等が挿入されるのを防止することができる。
【００７４】
なお、ここではカード１０は表面に形成された磁気ストライプに磁気データ（磁気データ）を記録した磁気カードを例にしているが、この磁気ストライプに加えて磁気データを記録したＩＣチップを設けた複合カードであってもよい。この場合、貯留部に搬送したカード１０のＩＣチップに電気的に接続でき、ＩＣチップに記録されている磁気データを読み取るための接点をカード処理装置１本体に設ければよい。
【００７５】
また、上記実施形態では、磁気データ読取部３が放射源３１、３２から放射されている妨害磁界の影響を殆ど受けることなく、カード１０に記録されている磁気データを読み取るために、放射源３１、３２と、磁気ヘッド１８、との間に磁気遮蔽部材３５を配置したが、放射源３１、３２を、図１２（Ａ）、（Ｂ）に示すポット型コイルで構成し、図１２（Ｃ）に示すように配置してもよい。図１２（Ａ）は、このポット型コイルの斜視図であり、図１２（Ｂ）は断面図である。このポット型コイルのコアの素材は、フェライト等の透磁率の大きい素材である。このコアの外形形状は、図１２（Ａ）、（Ｂ）に示すように、一方の面が開口し、他方の面が開口していない円筒状の形状であり、図１２（Ｃ）に示すように、開口している面を挿入口１１に向けて取り付ける。また、コアの略中心には、コイルを巻く心が設けられている。このポット型コイルは、開口面から放射した磁界が、開口していない面の後側に殆どを影響を及ぼさない。したがって、磁気データ読取部３が放射源３１、３２から放射されている妨害磁界の影響を殆ど受けることなく、カード１０に記録されている磁気データを読み取ることができる。
【００７６】
次に、この発明の別の実施形態について説明する。この実施形態のカード処理装置１も上記実施形態の装置と略同じ構成であるが、妨害磁界発生部８の構成が異なっている。この実施形態の妨害磁界発生部８は、図１３に示す構成である。具体的に言うと、妨害磁界発生部８は、妨害磁界Ｈ１を放射する放射源３１と、妨害磁界Ｈ２を放射する放射源３２有している点で上記実施形態の構成と同じであるが、これらの放射源３１、３２を駆動する駆動源３３が１つであるとともに、駆動源３３により駆動される放射源３１、３２を選択的に切り換える切換部３５を有している点で異なっている。切換部３５は、予め定められているタイミングで、駆動源３３により駆動される放射源３１、３２を切り換える。例えば、一定時間毎、例えば数十ｍｓ〜百数十ｍｓ毎、に駆動源３３により駆動される放射源３１、３２を切り換える。駆動源３１の駆動信号の周波数は、ｆ１である。２つの放射源３１、３２は、上記実施形態と同様の位置に配置されている。
【００７７】
この実施形態のカード処理装置１におけるカード１０の取込動作および返却動作は、図６、および図７で説明した動作と同じであるので、ここでは説明を省略する。
【００７８】
この実施形態のカード処理装置１は、装置本体が稼動しているとき、妨害磁界発生部８が放射源３１、３２を切り換えながら妨害磁界を放射している。このため、挿入口１１の前面にスキミング装置５０が取り付けられたとしても、このスキミング装置５０は、放射源３１から放射される妨害磁界Ｈ１と、放射源３２から放射される妨害磁界Ｈ２の影響を交互に受ける。放射源３１、３２が異なる位置に配置されているので、妨害磁界Ｈ１、Ｈ２がスキミング装置５０に与える影響も異なる。ここで、上記実施形態と同様に、放射源３１から放射されている妨害磁界をＨ１が読取ヘッド５２に対して与える影響をＨ１−１、ダミーヘッド５３に対して与える影響をＨ１−２とするとともに、放射源３２から放射されている妨害磁界をＨ２が読取ヘッド５２に対して与える影響をＨ２−１、ダミーヘッド５３に対して与える影響をＨ２−２とする。読取ヘッド５２と、ダミーヘッド５３とは、電気的特性や配置されている位置が全く同じではないので、
Ｈ１−１≠Ｈ１−２、Ｈ２−１≠Ｈ２−２
である。また、上述したように、２つの放射源３１、３２が異なる位置に配置されているので
Ｈ１−１：Ｈ１−２≠Ｈ２−１：Ｈ２−２
である。このため、上記実施形態と同様に、磁気データを読み取っていない状態で、差分回路５７の出力が略０になるように、ゲイン調整回路５６で第２のアンプ５５のゲインを調整することができない。
【００７９】
このように、この実施形態のカード処理装置１においては、スキミング装置５０が、妨害磁界Ｈ１による影響を受けるときと、妨害磁界Ｈ２による影響を受けるときとが、交互に生じることから、結果的に差動ヘッド５１を用いても、カード１０に記録されている磁気データを不正に読み取ることができない。したがって、磁気データのセキュリティを十分に確保することができる。また、上記実施形態における駆動源３２に代えて、この駆動部３２に比べて簡単な回路で構成できる切換部３５を設ける構成としたので、装置本体の製造コストを低減することができる。
【００８０】
また、この実施形態では、駆動源３３の駆動信号の周波数をｆ１としたが、切換部３５における放射源３１、３２の切り換えに連動して、駆動源３３の駆動信号の周波数を切り換える構成としてもよい。例えば、切換部３５により放射源３１が妨害磁界を放射する状態に切り換えられている場合、駆動源３３の駆動信号の周波数をｆ１とし、放射源３２が妨害磁界を放射する状態に切り換えられている場合、駆動源３３の駆動信号の周波数をｆ２とするようにしてもよい。このようにすれば、妨害磁界Ｈ１、Ｈ２の差異をより大きくすることができ、磁気データのセキュリティを一層十分に確保することができる。
【００８１】
また、切換部３５における放射源３１、３２の切り換えに連動させずに、駆動源３３の駆動信号の周波数を切り換える構成としてもよい。
【００８２】
次に、上述したいずれかの実施形態のカード処理装置を内蔵したデータ処理装置１００について説明する。このデータ処理装置１００は、例えばＡＴＭ、ＣＤ、ＣＡＴである。図１４は、このデータ処理装置の主要部の構成を示すブロック図である。この実施形態のデータ処理装置１は、上記したいずれかの実施形態のカード処理装置１と、カード処理装置１がカード１０から読み取った磁気データを用いてデータ処理を行うデータ処理部１０２と、装置本体に対して入力操作を行う操作部１０３と、利用者を検知する利用者検知部１０４と、を備えている。また、図中に示す１０１は、このデータ処理装置全体の動作を制御する上位制御部である。カード処理装置１は、カード１０から読み取った磁気データを出力部７から出力する。データ処理部１０２は、出力部７から出力された磁気データを取り込み、この磁気データを用いてデータ処理を行う。このデータ処理は、例えば口座取引や、クレジット取引にかかるデータ処理である。操作部１０３は、利用者に対して操作案内等を表示する表示器を有している。利用者検知部１０４は、赤外線センサ等で利用者を検知する構成である。
【００８３】
この実施形態のデータ処理装置１００に内蔵されているカード処理装置１は、データ処理装置１００からの指示にしたがって、妨害磁界の放射、停止を切り換える。データ処理装置１００は、利用者検知部１０４において利用者が検知されている間、カード処理装置１に対して妨害磁界の放射を指示し、利用者が検知されていない間、カード処理装置１に対して妨害磁界の放射を指示する。したがって、この実施形態のデータ処理装置１００においては、利用者がいるとき、すなわちカード処理装置１にカード１０が挿入されるとき、カード処理装置１が妨害磁界発生部８により妨害磁界を発生する。言い換えれば、カード処理装置１にカード１０が挿入されないとき、カード処理装置１が妨害磁界発生部８により妨害磁界を発生しない。
【００８４】
したがって、カード処理装置１が無駄に妨害磁界を発生することがなく、装置のランニングコストを十分に低減することができる。また、上述したように、カード処理装置１は、差動ヘッドを用いたスキミング装置であっても、カード１０に記録されている磁気データを不正に読み取ることができないので、磁気データのセキュリティが十分に確保される。
【図面の簡単な説明】
【００８５】
【図１】この発明の実施形態であるカード処理装置の主要部の構成を示すブロック図である。
【図２】この発明の実施形態であるカード処理装置の内部構成を示す概略図である。
【図３】この発明の実施形態であるカード処理装置の妨害磁界発生部の構成を示す図である。
【図４】この発明の実施形態であるカード処理装置にスキミング装置が取り付けられた状態を示す図である。
【図５】差動ヘッドの構成を示す図である。
【図６】この発明の実施形態であるカード処理装置の取込動作を示すフローチャートである。
【図７】この発明の実施形態であるカード処理装置の返却動作を示すフローチャートである。
【図８】差動ヘッドに影響を与える妨害磁界を説明する図である。
【図９】この発明の別の実施形態であるカード処理装置の妨害磁界の発生タイミングを説明する図である。
【図１０】この発明の別の実施形態であるカード処理装置の妨害磁界の変化を説明する図である。
【図１１】この発明の別の実施形態であるカード処理装置の妨害磁界の変化を説明する図である。
【図１２】この発明の別の実施形態であるカード処理装置にポット型コイルを用いた場合を示す図である。
【図１３】この発明の別の実施形態であるカード処理装置の妨害磁界発生部の構成を示す図である。
【図１４】この発明の別の実施形態であるカード処理装置を内臓したデータ処理装置の構成を説明する図である。
【符号の説明】
【００８６】
１−カード処理装置
２−制御部
３−磁気データ読取部
４−カード搬送制御部
５−カード検出部
６−シャッタ制御部
７−出力部
８−妨害磁界発生部
３１、３２−放射源
３３、３４−駆動源
３５−切換部
５０−スキミング装置
５１−差動ヘッド
１００−データ処理装置
１０１−上位制御部
１０２−データ処理部
１０３−操作部
１０４−利用者検知部
【図１】
0004644592.tif 000002
【図２】
0004644592.tif 000003
【図３】
0004644592.tif 000004
【図４】
0004644592.tif 000005
【図５】
0004644592.tif 000006
【図６】
0004644592.tif 000007
【図７】
0004644592.tif 000008
【図８】
0004644592.tif 000009
【図９】
0004644592.tif 000010
【図１０】
0004644592.tif 000011
【図１１】
0004644592.tif 000012
【図１２】
0004644592.tif 000013
【図１３】
0004644592.tif 000014
【図１４】
0004644592.tif 000015